(57)【要約】【課題】ディスクの回転時に発生する振動と騷音を自体で除去するスピンドルモーターを提供する。【解決手段】スピンドルモーター１００は、回転軸１１１と、回転軸１１１を回転可能に支持するためのベアリング１１５と、ベアリング１１５を支持するためのホルダー１２５と、ホルダー１２５を固定状態で支持し、自体緩衝力を有するベース部材とを含み、ベース部材は、ホルダー１２５がそれぞれ所定間隔を置いて挿入結合される第１ベース１４５及び第２ベース１５５と、第１ベース１４５及び第２ベース１５５間に介在される緩衝部材１６５とを含む。【選択図】図１
2007166891.tif 000002
【特許請求の範囲】
【請求項１】
回転軸；
前記回転軸を回転可能に支持するためのベアリング；
前記ベアリングを支持するためのホルダー；及び
前記ホルダーを固定状態で支持し、自体緩衝力を有するベース部材；を含むことを特徴とするスピンドルモーター。
【請求項２】
前記ベース部材は、前記ホルダーがそれぞれ所定間隔を置いて挿入結合される第１ベース及び第２ベースと、前記第１ベース及び前記第２ベース間に介在される緩衝部材とを含むことを特徴とする、請求項１に記載のスピンドルモーター。
【請求項３】
前記緩衝部材は、前記第１ベース及び前記第２ベース間の少なくとも縁部に介在されることを特徴とする、請求項２に記載のスピンドルモーター。
【請求項４】
前記緩衝部材はポリマー類またはゴム類から作られることを特徴とする、請求項２または３に記載のスピンドルモーター。
【発明の詳細な説明】
【技術分野】
【０００１】
本発明はスピンドルモーターに係り、より詳細するようにディスクの回転時に発生する振動と騷音を自体で除去することができるスピンドルモーターに関するものである。
【背景技術】
【０００２】
スピンドルモーターは、光ディスクドライブ（ｏｐｔｉｃａｌ ｄｉｓｋ ｄｒｉｖｅ）に設置され、ターンテーブルを駆動させることで、ターンテーブルに搭載されるディスクを回転させるための装置である。一般に、図２に示すように、スピンドルモーター２００は、回転部２０１と固定部２０５とからなっている。
【０００３】
回転部２０１はモーター２００において回転する部分で、回転軸２１１、回転子カバー２２１、及び磁石２３１から構成されている。
【０００４】
回転軸２１１は、ターンテーブル（図示せず）を回転させるためのものである。
【０００５】
回転子カバー２２１は回転軸２１１を回転させるためのもので、中央に回転軸２１１が押し込まれる押込孔２２２が形成されており、押込孔２２２の末端には、ベアリング２１５からオイルが流出することを防止するためのオイル流出防止片２２３が取り付けられている。また、回転子カバー２２１は半径方向に伸び、その周縁部は固定子２３５を覆うように下向きに折り曲げられて延設されている。
【０００６】
磁石２３１は磁界を形成するためのもので、回転子カバー２２１の内壁２２４に固定されている。
【０００７】
固定部２０５はモーター２００において固定される部分で、ベアリング２１５、ホルダー２２５、固定子２３５及びベース２４５から構成されている。
【０００８】
ベアリング２１５は回転軸２１１を回転可能に支持するためのものである。
【０００９】
ホルダー２２５はベアリング２１５を固定状態で支持するためのもので、内周面にベアリング２１５が固定結合されている。
【００１０】
固定子２３５は外部の電源を受けて電界を形成するためのもので、ホルダー２２５の外周面に固定結合されている。
【００１１】
また、固定子２３５は、内周面上側部に、ディスク（図示せず）の回転時、ディスクの損傷を防止するために、ディスクを引くための吸引磁石２３６がバックヨーク２３７を介して固定結合されている。
【００１２】
ベース２４５はモーター２００全体を支持するためのもので、中央部位に、一部が外部へ伸びて突出し、それに挿入孔２４６が形成され、上面に、モーター２００を駆動する信号を制御するプリント基板２４７が設置されている。
【００１３】
しかし、前述した構成を有する従来技術のスピンドルモーターは、光ディスクドライブ、特に高精度を要求するＤＶＤ±ＲＷディスクを採択する光ディスクドライブに適用される場合、ディスクの回転時に発生する振動と騷音を減らすために、ターンテーブルの構造を自動バランシング構造にするか、またはスピンドルモーターが搭載されたデッキの重量を増やして二重サスペンション構造を使用している。よって、スピンドルモーター自体が、ディスクの回転時に発生する振動と騷音を除去することができない問題があった。
【発明の開示】
【発明が解決しようとする課題】
【００１４】
本発明は前述した従来技術の問題点を解決するためになされたもので、本発明の目的は、スピンドルモーターのベースを、その間に緩衝部材が介在される二重構造に形成することで、ディスクの回転時に発生する振動と騷音を自体で除去することができるスピンドルモーターを提供することである。
【課題を解決するための手段】
【００１５】
前述した本発明の目的を達成するために、本発明は、回転軸；前記回転軸を回転可能に支持するためのベアリング；前記ベアリングを支持するためのホルダー；及び前記ホルダーを固定状態で支持し、自体緩衝力を有するベース部材；を含むことを特徴とするスピンドルモーターを提供する。
【００１６】
本発明のスピンドルモーターにおいて、前記ベース部材は、前記ホルダーがそれぞれ所定間隔を置いて挿入結合される第１ベース及び第２ベースと、前記第１ベース及び前記第２ベース間に介在される緩衝部材とを含むことができる。
【００１７】
前記緩衝部材は、前記第１ベース及び前記第２ベース間の少なくとも縁部に介在されることができる。
【００１８】
前記緩衝部材はポリマー類またはゴム類から作られることができる。
【発明の効果】
【００１９】
本発明のスピンドルモーターによれば、モーターを支持するベースが二重構造、すなわち第１ベースと第２ベースを持ち、これら間に緩衝力の優れたポリマー類またはゴム類の緩衝部材が設けられるので、ディスクの回転時に発生する振動と騷音を自体で除去することができる。
【００２０】
また、本発明のスピンドルモーターは、ディスクの回転時に発生する振動と騷音を、従来に使用した自動バランシング構造または二重サスペンション構造に緩衝部材をさらに加えて除去するので、特に高精度を要求するＤＶＤ±ＲＷディスクを採択する光ディスクドライブに適用する場合、ディスクの作動精度を大きく高めることができる。
【発明を実施するための最良の形態】
【００２１】
以下、添付図面を参照して本発明の好適な実施例によるスピンドルモーターについて詳細に説明する。
【００２２】
図１に示すように、スピンドルモーター１００は、回転部１０１と固定部１０５とを含む。
【００２３】
回転部１０１はモーター１００において回転する部分で、回転軸１１１、回転子カバー１２１、及び磁石１３１を備える。
【００２４】
回転軸１１１はターンテーブル（図示せず）を回転させる。
【００２５】
回転子カバー１２１は回転軸１１１を回転させるためのもので、中央に、回転軸１１１が押し込まれる押込孔１２２が形成され、押込孔１２２の末端には、ベアリング１１５からオイルが流出することを防止するためのオイル流出防止片１２３が取り付けられる。また、回転子カバー１２１は半径方向に伸び、周縁部は固定子１３５を覆うように下向きに折り曲げられて伸びる。
【００２６】
磁石１３１は磁界を形成するためのもので、回転子カバー１２１の下向きに折り曲げられた周縁部の内壁１２４に固定状態で取り付けられる。
【００２７】
固定部１０５はモーター１００において回転しないで固定される部分で、ベアリング１１５、ホルダー１２５、固定子１３５、第１ベース１４５、第２ベース１５５及び緩衝部材１６５を備える。
【００２８】
ベアリング１１５は回転軸１１１を回転可能に支持する。
【００２９】
ホルダー１２５はベアリング１１５を固定状態で支持するためのもので、内周面にベアリング１１５が固定結合される。
【００３０】
固定子１３５は外部の電源を受けて電界を形成するためのもので、ホルダー１２５の外周面に固定結合されるボビン１３６とボビン１３６に巻線されるコイル１３７とを有する。
【００３１】
また、固定子１３５、具体的にボビン１３６は内周面上側部に、ディスク（図示せず）の回転時、ディスクの損傷を防止するためにディスクを引くための吸引磁石１３８がバックヨーク１３９を介して固定結合される。
【００３２】
第１ベース１４５はモーター１００全体を支持するためのもので、中央部位に、一部が外部へ伸びて突出する挿入孔１４６が形成され、挿入孔１４６には、ホルダー１２５が密着して挿入結合される。また、第１ベース１４５の上面には、モーター１００を駆動する信号を制御するプリント基板１４７が設けられる。
【００３３】
第２ベース１５５は第１ベース１４５を含み、モーター１００全体を支持するためのもので、中央部位に、ホルダー１２５が押し込まれる押込孔１５６が形成される。
【００３４】
緩衝部材１６５は第１ベース１４５と第２ベース１５５との間に設けられ、緩衝効果の優れたポリマー類またはゴム類から作られる。図面では、緩衝部材１６５が第１ベース１４５と第２ベース１５５との間の一部にだけ設けられたが、この場合、振動と騷音の除去効果を高めるために、第１ベース１４５と第２ベース１５５の縁部に設けられることが望ましい。しかし、これとは異なり、緩衝部材１６５を第１ベース１４５と第２ベース１５５間の全体に設けてもかまわない。
【００３５】
以上、本発明の好適な実施例を参照して本発明のスピンドルモーターについて説明したが、本発明の思想を逸脱しない範囲内で多様な修正、変更及び変形実施例が可能であることは当業者に明らかであろう。
【産業上の利用可能性】
【００３６】
本発明は、ディスクの回転時に発生する振動と騷音を自体で除去することができるスピンドルモーターに適用可能である。
【図面の簡単な説明】
【００３７】
【図１】本発明の好適な実施例によるスピンドルモーターの概略断面図である。
【図２】従来技術のスピンドルモーターの概略断面図である。
【符号の説明】
【００３８】
１００    スピンドルモーター
１０１    回転部
１１１    回転軸
１２１    回転子カバー
１３１    磁石
１０５    固定部
１１５    ベアリング
１２５    ホルダー
１３５    固定子
１４５    第１ベース
１５５    第２ベース
１６５    緩衝部材
【図１】
2007166891.tif 000003
【図２】
2007166891.tif 000004